(57)【特許請求の範囲】
【請求項１】
ボタン型電池を収容するための電池収容部と、
前記電池収容部を開閉可能に閉じることができる蓋部材と
を備え、
前記蓋部材は、前記閉じた状態における前記電池収容部と対面する内面に、前記ボタン型電池が着脱可能となっており、
前記蓋部材の前記内面には、
前記ボタン型電池の装着領域に隣接し、前記装着領域の直径方向における正反対の領域の夫々に立設することで、前記ボタン型電池を案内する２箇所のガイド部と、
前記２箇所のガイド部の夫々と一体的に形成され、前記ボタン型電池を上から押えるようにして係止する爪部と、
前記装着領域の周辺であって、前記ボタン型電池をスライドする方向に、少なくとも前記ボタン型電池の厚みよりも低い突起部と
が形成され、
前記突起部は、前記装着領域側に、前記装着領域から離れるに従って徐々に高さを増すようにされた傾斜面が形成されている
ことを特徴とするボタン型電池の収納部。
【請求項２】
前記電池収容部は、前記ボタン型電池の主面に配置された電極と接触する接続端子部を有しており、
前記ボタン型電池の前記主面を前記蓋部材の内面に向けた場合、前記ボタン型電池は前記爪部に当たって装着できないようになっている
ことを特徴とする請求項１に記載のボタン型電池の収納部。
【請求項３】
ボタン型電池を電源とする医療用電子機器であって、
前記ボタン型電池を収容するための電池収容部と、
前記電池収容部を開閉可能に閉じることができる蓋部材と
を備え、
前記蓋部材は、前記閉じた状態における前記電池収容部と対面する内面に、前記ボタン型電池が着脱可能となっており、
前記蓋部材の前記内面には、
前記ボタン型電池の装着領域に隣接し、前記装着領域の直径方向における正反対の領域の夫々に立設することで、前記ボタン型電池を案内する２箇所のガイド部と、
前記２箇所のガイド部の夫々と一体的に形成され、前記ボタン型電池を上から押えるようにして係止する爪部と、
前記装着領域の周辺であって、前記ボタン型電池をスライドする方向に、少なくとも前記ボタン型電池の厚みよりも低い突起部と
が形成され、
前記突起部は、前記装着領域側に、前記装着領域から離れるに従って徐々に高さを増すようにされた傾斜面が形成されている
ことを特徴とする医療用電子機器。
【発明の詳細な説明】
【技術分野】
【０００１】
本発明は、ボタン型電池の収納部、及びこれを備えた医療用電子機器に関する。
【背景技術】
【０００２】
小型で軽量なボタン型電池は様々な電子機器に利用されており、その一例として医療用電子機器でも数多く利用されている。
例えば、体温を計測する電子体温計では、体温を演算したり表示したりするための電源として、ボタン型電池が用いられている（特許文献１参照）。また、患者が自宅等で体温等の生体情報を電子体温計等の機器で計測した後、かかる計測データを読み取ることができる生体情報収集装置が提案されており（特許文献２参照）、このような生体情報収集装置にも、例えば病院等に持参等することから、小型・薄型化が図られており、その電源としてボタン型電池が用いられている。【０００３】
このようなボタン型電池については、その電源容量の少なさから交換するのが一般であり、このため、電池は着脱できる構造になっている。例えば、特許文献１の場合、その図５及び図６に示されるように、ボタン型電池が着脱可能に収容される凹状部ＳＰと、この凹状部ＳＰの開口部を覆う蓋部材２４とを有している。凹状部ＳＰは、ボタン型電池の外周面に隣接して配置された壁面部３０Ｒを有し、ボタン型電池の脱落を防止している。そして、ボタン型電池を交換する際は、蓋部材２４を取り外して、凹状部ＳＰに収容されたボタン型電池を取り出すようになっている。
【先行技術文献】
【特許文献】
【０００４】
【特許文献１】特開２０１３−６５４２４号公報
【特許文献２】特許３７５９７８４号公報
【発明の概要】
【発明が解決しようとする課題】
【０００５】
しかしながら、従来の凹状部ＳＰと蓋部材２４とからなるボタン型電池の収納部では、ボタン型電池が凹状部に深く収容されているので、ボタン型電池を取り外すことが難しく、その交換作業が容易ではない。特許文献１では、ボタン型電池を囲む壁面部３０Ｒに切り欠きがあり、そこから爪楊枝等の先の細い器具を挿入して、一般的な着脱構造と比べればボタン型電池を取り外し易くしているが、それでも取り外しが簡単であるとまでは言えず、特に、高齢者や看者が取扱う医療用電子機器については尚更である。
そこで、本発明は、ボタン型電池の交換作業を簡単に行うことができる電池の収納部および医療用電子機器を提供することを目的とする。
【課題を解決するための手段】
【０００６】
上記課題は、ボタン型電池を収容するための電池収容部と、前記電池収容部を開閉可能に閉じることができる蓋部材とを備え、前記蓋部材は、前記閉じた状態における前記電池収容部と対面する内面に、前記ボタン型電池が着脱可能となっており、前記蓋部材の前記内面には、前記ボタン型電池の装着領域に隣接し、前記装着領域の直径方向における正反対の領域の夫々に立設することで、前記ボタン型電池を案内する２箇所のガイド部と、前記２箇所のガイド部の夫々と一体的に形成され、前記ボタン型電池を上から押えるようにして係止する爪部と、前記装着領域の周辺であって、前記ボタン型電池をスライドする方向に、少なくとも前記ボタン型電池の厚みよりも低い突起部とが形成され、前記突起部は、前記装着領域側に、前記装着領域から離れるに従って徐々に高さを増すようにされた傾斜面が形成されていることを特徴とするボタン型電池の収納部により解決される。【０００７】
上記構成によれば、ボタン型電池を収容するための電池収容部と、電池収容部を開閉可能に閉じることができる蓋部材とを備え、この蓋部材は、閉じた状態における電池収容部と対面する内面に、ボタン型電池が着脱可能とされている。そうすると、ボタン型電池を蓋部材に装着しておけば、電池収容部に対する蓋部材の開閉に伴って、ボタン型電池を電池収容部から着脱できる。従って、電池収容部がボタン型電池を収容する深い凹状であっても、その凹状部から簡単にボタン型電池を取り出せる。
ここで、蓋部材の内面には、ボタン型電池の装着領域に隣接し、装着領域の直径方向における正反対の領域の夫々に立設する２箇所のガイド部を有する。従って、ボタン型電池を蓋部材に装着する際、例えば、２個所のガイド部どうしを結ぶ仮想線と略直交する一方向にボタン型電池をスライドするように押せば、ガイド部で案内されながら２箇所のガイド部どうしの間、即ち、ボタン型電池の適正な装着領域に容易に配置される。
そして、２箇所のガイド部どうしの間にボタン型電池を配置すれば、２箇所のガイド部と一体的に形成された２箇所の爪部により、ボタン型電池を上から押さえて蓋部材に固定することができる。
また、ボタン型電池を蓋部材から取り外すには、ボタン型電池を上記一方向にスライドするように押せばよく、ボタン型電池を押してスライドさせ続ければ、ボタン型電池は上から押えられていた爪部の位置から離れるので、当該爪部による係止状態が解除されて、蓋部材から取り外すことができる。
なお、上記「上から押えて」とは、ボタン型電池の蓋部材からの離脱を防止する趣旨であり、当該離脱さえなければ、ボタン電池を蓋部材の内面に押し付けなくてもよい。また、上記「２箇所のガイド部」とは、ボタン型電池の直径方向の正反対の夫々の領域にガイド部が形成されていることを意味するものであり、各個所に複数のガイド部が形成されることを除外するものではない。【０００８】
さらに、蓋部材の内面は、ボタン型電池の装着領域の周辺であって、スライドする方向に、少なくともボタン型電池の厚みよりも低い突起部を有する。このため、ボタン型電池を蓋部材から取り外す際、上述のようにガイド部で案内されながらボタン型電池を指で押してスライドさせると、ボタン型電池は背の低い突起部に当たって、片側が持ち上げられながらスライドする。従って、例えば蓋部材が小さくて、その縁部に壁部やリブ等があったとしても、それらを乗り越えてボタン型電池を蓋部材から取り外すことができる。【０００９】
しかも、前記突起部は、前記装着領域側に、前記装着領域から離れるに従って徐々に高さを増すようにされた傾斜面が形成されている。
従って、ボタン型電池を取り外す際、装着領域にあるボタン型電池を突起部に向けて押してスライドさせると、ボタン型電池は、突起部の傾斜面に案内されながら容易に持ち上げることができるので、より容易にボタン型電池の交換作業を行うことができる。【００１０】
また、好ましくは、前記電池収容部は、前記ボタン型電池の主面に配置された電極と接触する接続端子部を有しており、前記ボタン型電池の前記主面を前記蓋部材の内面に向けた場合、前記ボタン型電池は前記爪部に当たって装着できないようになっていることを特徴とする。
従って、ボタン型電池の表にして装着すべき電極面を、誤って蓋部材の内面に向けた場合、ボタン型電池を蓋部材に取り付けることができず、誤った装着を防止できる。【００１１】
また、上記課題は、ボタン型電池を電源とする医療用電子機器であって、前記ボタン型電池を収容するための電池収容部と、前記電池収容部を開閉可能に閉じることができる蓋部材とを備え、前記蓋部材は、前記閉じた状態における前記電池収容部と対面する内面に、前記ボタン型電池が着脱可能となっており、前記蓋部材の前記内面には、前記ボタン型電池の装着領域に隣接し、前記装着領域の直径方向における正反対の領域の夫々に立設することで、前記ボタン型電池を一方向にスライド可能なように案内する２箇所のガイド部と、前記２箇所のガイド部の夫々と一体的に形成され、前記ボタン型電池を上から押えるようにして係止する爪部と、前記装着領域の周辺であって、前記スライドする方向に、少なくとも前記ボタン型電池の厚みよりも低い突起部とが形成されている医療用電子機器により解決される。
従って、高齢者や看者等の非力な者が使用者になり易く、電池交換の頻度が比較的に多いボタン型電池を利用した医療用電子機器であっても、既述したボタン型電池の着脱構造を利用することにより、ボタン型電池を容易に交換できる。
【発明の効果】
【００１２】
以上より、本発明によれば、ボタン型電池の交換作業を容易に行うことができる電池の収納部および医療用電子機器を提供することができる。
【図面の簡単な説明】
【００１３】
【図１】本発明の好ましい実施形態の医療用電子機器を含むシステムの例として、生体情報管理システムを示す概略図。
【図２】図１のデータカードの主な構成例を示す概略ブロック図。
【図３】図１に示すデータカードの好ましい形状例を示す表面図。
【図４】図１に示すデータカードの好ましい形状例を示す裏面図。
【図５】図４に示す蓋部材の内面側を示す平面図。
【図６】蓋部材の内面側を示す斜視図。
【図７】図４に示す容器型の裏面部材から蓋部材を取って露出させた電池収容部の平面図。
【図８】図７の電池収容部の斜視図。
【図９】蓋部材の取付け部が筐体の装着部に挿入されて、蓋部材が固定される様子を示す図。
【図１０】蓋部材においてボタン型電池を装着する操作と、ボタン型電池を取り外す操作を示す図。
【図１１】蓋部材に対して、ボタン型電池を表裏逆向きに取り付けようとする場合の例を示す図。
【図１２】本実施形態の変形例であって、図６に対応した蓋部材の斜視図。
【発明を実施するための形態】
【００１４】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１は、本発明の好ましい実施形態の医療用電子機器を含むシステムの例として、生体情報管理システム１を示す概略図である。
図１の生体情報管理システム１は、計測した体温・血圧・血糖値などの生体情報をデータカード１０に入力して管理をするといったシステムである。
この生体情報管理システム１では、生体情報計測装置として、利用者（被検者）の体温を計測する電子体温計５０、血圧を計測する電子血圧計３、血糖値を計測する血糖計４、及び体脂肪・筋肉量・骨量などの人間の体の組成を計測する体組成計５を有している。これら電子体温計５０、電子血圧計３、血糖計４等は、利用者（被検者）の自宅６や病院内で、利用者（被検者）または看護師等の士医療従事者が自宅６や病院内で体温等の生体情報の計測に用いられる電子医療用機器の一例である。
データカード１０も利用者（被検者）または医療従事者が自宅６や病院内で用いる医療用電子機器であり、具体的には、扁平なカード状とされ、利用者（被検者）または医療従事者がポケット等に収容して容易に携帯できる大きさとされている。
【００１６】
図１に示すように、生体情報管理装置であるデータカード１０と、電子体温計５０等の生体情報計測装置は、それぞれ近距離無線通信装置ＴＭを内蔵しており、データカード１０及び電子体温計５０等が相互に近接して配置されると、電磁誘導等によるデータ通信が可能な構成となっている。したがって、利用者（被検者）が例えば、電子体温計５０を用いて体温を測定した後、利用者（被検者）自身または医療従事者はデータカード１０を電子体温計５０に近接させると、医療データのデータ通信が開始され、電子体温計５０が記憶している体温情報がデータカード１０へ送信される構成となっている。
【００１７】
図１に示すように、生体情報管理システム１は、自宅や調剤薬局または病院７に配置される医療従事者用の端末装置（パーソナルコンピュータ）８０を有している。この端末装置８０は、病院内にある場合は院内ＬＡＮ等で病院サーバＳＶ等に接続され、患者（被検者）の自宅にある場合は、インターネット等で病院サーバＳＶ等に接続され、患者（被検者）のデータ等を参照可能な構成となっている。
また、端末装置８０は、図１に示すように、端末用リードライタ装置８１を有している。このため、利用者（被検者）が病院に行く時に上述したデータカード１０を持参し、端末用リードライタ装置８１に近づけることで、データカード１０内に記憶された体温等の生体情報を、端末装置８０を介して、病院サーバＳＶに入力等することができると共に、端末装置８０のディスプレイ８２に、当該生体情報を表示させることができる。
【００１８】
図１に示すデータカード１０は、データカード１０が通信を開始する際に近距離無線通信を行うため、例えば１２．５６ＭＨｚの電磁波等を発振する「ボタンスイッチ１１」を有する他、「ＯＫ」を示す緑色のＬＥＤランプ１２ａおよび「ＮＧ」を示す赤色のＬＥＤランプ１２ｂを有している。
図１に示す端末装置８０、病院サーバＳＶ、データカード１０、電子体温計５０、電子血圧計３、血糖計４、及び体組成計５は、それぞれ、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏ
ｒｙ）、ＲＯＭ（Ｒｅａｄ  Ｏｎｌｙ  Ｍｅｍｏｒｙ）等を有し、これらはバスを介して接続されている。
【００１９】
図２は、図１のデータカード１０の主な構成を示す概略ブロック図である。
図２に示すように、データカード１０は、計時部１３ａを有するマイコン１３を有している。このマイコン１３は、ボタン型電池ＢＡを電源として、上述の「ＯＫ」ランプ１２ａや「ＮＧ」ランプ１２ｂを含む「カードディスプレイ（ＬＥＤ）１２」、「ボタンスイッチ１１」を制御する他、「電源スイッチ１５」や電子体温計・端末用リードライト装置等と近距離無線通信を行うための「データカード用リードライタ装置１６」を制御する構成である。
さらに、マイコン１３は、不揮発性メモリ１７を制御し、データカード１０の判断・制御を行う。不揮発性メモリ１７には、各種医療情報や利用者（被検者）に関する情報（例えば体温情報）等の情報が記憶できる。
【００２０】
図３は、図１に示すデータカード１０の好ましい形状例を示す表面図であり、図４は、このデータカード１０を示す裏面図である。
図３と図４に示すデータカード１０の筐体２０は、扁平で長方形状のプラスチック製の部材である。筐体２０は、ほぼ長方形状で板状の表面部材２１と、ほぼ長方形状ではあるが深さを有する容器型の裏面部材２２と、蓋部材３０を有していて、幅５５ｍｍ，長さ８５ｍｍ，厚みが６ｍｍ，重さが２５ｇ程度である。表面部材２１の四隅の角部２１Ａは、ほぼ１／４円周形状に形成されている。
【００２１】
上述した「ＯＫ」を示す緑色のＬＥＤランプ１２ａおよび「ＮＧ」を示す赤色のＬＥＤランプ１２ｂと、ボタンスイッチ１１が、表面部材２１に配置されている。例えば、「ＯＫ」を示す緑色のＬＥＤランプ１２ａは、医療データの通信が正常に行われた際に点灯または点滅し、「ＮＧ」を示す赤色のＬＥＤランプ１２ｂは、医療データの通信が正常に行われなかった際に点灯または点滅する。
【００２２】
図３と図４に示すように、薄型で容器型の裏面部材２２はほぼ長方形の裏面部２３と、４つの側面部２４，２５，２６，２７を有している。側面部２４，２５，２６，２７の４つの角部２２Ａは、表面部材２１の四隅の角部２１Ａの形状に合わせて、ほぼ１／４円周形状に形成されている。図３に示すように、表面部材２１は、裏面部材２２の側面部２４，２５，２６，２７の内側に嵌合して固定されることで、表面部材２１と裏面部材２２は一体化されている。
【００２３】
図４に示すように、裏面部材２２の右下部分（角部）には、切欠き部分９０（図８参照）が設けられている。この切欠き部分９０を塞ぐようにして、蓋部材３０が着脱可能に取り付けられている。この蓋部材３０は、開く方向Ｄに沿って指Ｆで押してスライドすることで、筐体２０から取り外すことができる。この切欠き部分９０の端面は、直線部分９１，９２と、ほぼ１／４円周部分９３を有している。
蓋部材３０は、全体的にほぼ板状の部材であり、切欠き部分９０の切欠き端面の形状に合わせて直線部分３１，３２と、ほぼ１／４円周部分３３と、直線状の外側部分３４，３５と、ほぼ１／４円周部分３６を有している。
【００２４】
図５は図４に示す蓋部材３０の内面側を示す平面図、図６は図４の蓋部材３０の内面側を示す斜視図である。なお、図５ではボタン型電池ＢＡが搭載されておらず、図６ではボタン型電池ＢＡが搭載されている様子を示している。また、図５の一点鎖線で囲った図は、後述する突出部４１の拡大斜視図、図５の二点鎖線で囲った図は、図５のＡ―Ａ線断面図である。また、ここにいう「内面」とは、図４に示す蓋部材３０が表されている外面と反対側の面であり、蓋部材３０で図８の電池収容部１０１を閉じた状態における電池収容部１０１と対面する面である。
【００２５】
ここで、蓋部材３０の構造を説明する前に、図６に示すボタン型電池ＢＡの構造例を簡単に説明すると、ボタン型電池ＢＡはコイン型電池ともいい、多くは一次電池であり、例えばリチウム電池やアルカリマンガン電池等である。ボタン型電池ＢＡは、全体が薄い円柱状であり、プラス電極２９Ａとマイナス電極２９Ｂと絶縁体２９Ｃを有する。プラス電極２９Ａは、蓋部材３０の内面３８と対面して配置される円形状の底面２９Ｄと、この底面２９Ｄと電気的につながった外周側面２９Ｅを有する。このようなボタン型電池ＢＡは、図６のように主面に配置されたマイナス電極２９Ｂを上向きにした場合、略絶縁体２９Ｃの位置に段部（図の場合は上向きの段部）２９Ｆを有している。
なお、種類としては、大きさ（直径）や厚さの違いにより、ＣＲ１６２０，ＣＲ２０１６，ＣＲ２０２５，ＣＲ２０３２，ＣＲ２３５４，ＣＲ２４５３，ＣＲ３０３２等がある。ここで、上２桁の数字は直径（ｍｍ），下２桁の数字は厚さを示している。例えば、ＣＲ１６２０は、直径１６ｍｍ，厚さ２．０ｍｍ、ＣＲ２０３２は、直径２０ｍｍ，厚さ３．２ｍｍである。本願明細書では、ＣＲ２０３２を例として説明する。
【００２６】
図５と図６に示すように、蓋部材３０は、後述する筐体側の電池収容部１０１（図８参照）を閉じた際に固定するための取付け部６０を有している。取付け部６０は、図６においては下側に向いたほぼ断面Ｌ字型の爪６１を有しており、この爪６１は弾性変形をし、図８の容器型の裏面部材２２の装着部７０に挿入されて係合可能とされている。これにより、図４に示すように、蓋部材３０は、容器型の裏面部材２２の切欠き部９０を塞ぐようにして、筐体２０に対して着脱可能に取り付けられる。
また、図５と図６に示すように、蓋部材３０は平板部分３７を有しており、平板部分３７の縁部には、直線状の壁部３４，３５と、略１／４円周状の壁部３６が、ボタン型電池ＢＡを取り付ける側に立っている。これら壁部３４，３５，３６は、平板部分３７の剛性を高めると共に、図４に示すように切欠き部９０を塞いだ状態で、筐体２０（裏面部材２２）の側面部２５，２７と角部２２Ａの一部を構成するようになっている。
また、図６の取付け部６０は、後述する突出部４０，４１どうしを結ぶ仮想線の延長線上であって、突出部４０に近接して配置され、そして、取付け部６０と突出部４０との間の部分３７ａにおける板厚Ｄ１は、平板部分３７の他の部分に比べて薄く形成されている。これにより、取付け部６０の変形により生じる応力が突出部４０に与える影響を少なくして、蓋部材３０を筐体２０に着脱する際に、ボタン型電池ＢＡが蓋部材３０から外れてしまうことを防止している。
【００２７】
図５と図６の平板部分３７の内面３８には、円形状の位置決め用の凹部３９が形成されている。この位置決め用の凹部３９は、ボタン型電池ＢＡの装着領域（装着すべき適正な領域）であり、当該装着領域に対応した平面形状を有している。（図の場合、凹部３９の直径は、ボタン型電池ＢＡの円形状の底面２９Ｄの直径とほぼ同じである）。そして、このボタン型電池ＢＡの装着領域である凹部３９にボタン型電池ＢＡを載置すると、プラス電極２９Ａの円形状の底面２９Ｄと外周側面２９Ｅの一部が浅くはめ込まれて、ボタン型電池ＢＡは、マイナス電極２９Ｂを上にして位置決めされる。
この凹部３９はごく浅い深さとされ、図の場合は０．２〜０．５ｍｍ程度で１ｍｍにも満たない深さであるが、後述する爪部４０Ｂ，４１Ｂと共同して、ボタン型電池ＢＡを蓋部材３０に位置決め規制される（円周方向には回動自在であり、上下方向は、爪部４０Ｂ，４１Ｂ，凹部３９で規制される）。
【００２８】
そして、平板部分３７の内面３８には、内面３８を上向きにしてボタン型電池ＢＡをその上に装着した状態で、上側に向かって突出する２つの突出部４０，４１が、例えば、弾性熱可塑性樹脂であるスチレン系樹脂（ハイインパクトスチロール，ＡＢＳ樹脂等）で形成されて所要の弾性力を備えている。添加物として、銀ゼオライト，銀シリカゲル，リン酸ジルコニウム銀化合物等の銀化合物を１．５重量％程度添加することで抗菌性を備えることができる。
対向するこの突出部４０，４１は、ボタン型電池ＢＡを蓋部材３０に位置決め規制する機能（円周方向には回動自在）、及びボタン型電池ＢＡを着脱する際の案内となるガイド機能を発揮させるためのものであり、ガイド部４０Ａ，４１Ａと爪部４０Ｂ，４１Ｂを有している。
爪部４０Ｂ，４１Ｂは、ボタン型電池ＢＡを蓋部材３０に縦方向に位置決め規制するもので、径方向に０．５〜１．０ｍｍ程度の高さであり、いずれか１つでも機能する。
【００２９】
ガイド部４０Ａ，４１Ａは、位置決め用の凹部（装着領域）３９の円周に沿って隣接しており、ボタン型電池ＢＡを装着した状態では、ボタン型電池ＢＡの外周側面２９Ｅに隣接し、ボタン型電池ＢＡの直径方向ＤＬにおける正反対（１８０度反対側）の領域Ｓ１，Ｓ２の夫々に、略垂直に立ち上がるように立設して、２個所とされている。すなわち、ガイド部４０Ａ，４１Ａは、その間にボタン型電池ＢＡを介在させて、ボタン型電池ＢＡの直径方向ＤＬに沿って、互いに対向するように配置されている。
これにより、ボタン型電池は、ガイド部４０Ａとガイド部４１Ａとを結ぶ仮想線（直径方向ＤＬの線）と略直交するスライド方向ＳＬにのみ通すことが可能となる。従って、使用者は、ボタン型電池ＢＡを蓋部材３０に装着する際は、ガイド部４０Ａとガイド部４１Ａの間にボタン型電池ＢＡをスライドさせるように押して、ガイド部４０Ａ，４１Ａに案内されながら、位置決め用の凹部３９にボタン型電池ＢＡを配置できる。また、ボタン型電池ＢＡを蓋部材３０から取り外す際は、同様にボタン型電池ＢＡをスライド方向ＳＬにスライドさせるように親指等で３００〜５００ｇｆ程度の力で押して、容易に取り外すことができる。
【００３０】
本実施形態のガイド部４０Ａ，４１Ａは、互いに対向する面１８（図５の一点鎖線で囲った図参照）が、図６に示すように、ボタン型電池ＢＡの外周側面２９Ｅの一部分に当接して挟持するようにもなっている。
図５と図６に示すガイド部４０Ａ，４１Ａは、ボタン型電池ＢＡの外周側面２９Ｅの円周方向に沿った所要の幅Ｗ（好ましくは円周方向の１／１３程度）を有し、互いに対向する面１８がボタン型電池ＢＡの外周側面２９Ｅに対応して湾曲することで、挟持度合を高めている。このように、ガイド部４０Ａ，４１Ａは所要の幅Ｗを有していても、互いを結ぶ仮想線の方向（図の方向ＤＬ）に所要の弾性力を有しているため弾性変形する。このようにして、ガイド部４０Ａ，４１Ａはボタン型電池ＢＡを挟持すると共に、スライド方向ＳＬに向けてボタン型電池ＢＡをスライドさせることができる。
【００３１】
爪部４０Ｂ，４１Ｂは、上述のように主に固定機能を発揮させるための部分であり、２箇所のガイド部４０Ａ，４１Ａの夫々と一体的に形成され、ボタン型電池ＢＡの直径方向ＤＬの正反対の夫々の領域Ｓ１，Ｓ２に配置されている。そして、図６に示すように、爪部４０Ｂ，４１Ｂはボタン型電池ＢＡを上から押えるようにして係止している。なお、この「上から押える」とは、爪部４０Ｂ，４１Ｂでボタン型電池ＢＡを内面３８に強く押さえ付けることを意味するものではなく、ボタン電池ＢＡが蓋部材３０から離脱するような内面３８からの浮きを防止する趣旨である。
図の場合、爪部４０Ｂ，４１Ｂは、ガイド部４０Ａ，４１Ａの夫々の上端部から、互いに向かい合うように内側に向けて略水平に突出して形成されている。そして、爪部４０Ｂ，４１Ｂは、ボタン型電池ＢＡの外周側面２９Ｅの上縁部分、即ち、段部２９Ｆに掛かるようになっている。これにより、本実施形態では、位置決め用の凹部３９からボタン型電池ＢＡが飛び出る事態を防止している。この際、爪部４０Ｂ，４１Ｂでボタン型電池ＢＡを押えている状態では、ボタン型電池ＢＡが当該凹部３９から出ない範囲内で、蓋部材３０の内面３８から若干浮いても構わない。
なお、この２個所の爪部４０Ｂ，４１Ｂの互いに対向する面１９（図５の一点鎖線で囲った図参照）はボタン型電池ＢＡのリング状の絶縁体２９Ｃに略対応して湾曲している。  
【００３２】
また、図５と図６に示すように、前記蓋部材３０の内面３８の平板部分３７上には、位置決め用の凹部（ボタン型電池ＢＡの適正な装着領域）３９の周辺であって、スライドする方向ＳＬの片側に突起部４２が形成されている。
突起部４２は、ボタン型電池ＢＡを取り外す際に、スライドさせたボタン型電池ＢＡを持ち上げるリフトアップ機能を有し、ボタン型電池ＢＡに突き当たってボタン型電池ＢＡのスライドを完全に防止しないように、少なくともボタン型電池ＢＡの厚みよりも低い高さＨとされている。
また、突起部４２は、装着したボタン型電池ＢＡの外周側面２９Ｅに隣接して配置するのが好ましく、これにより、ボタン型電池ＢＡを故意に押すような外力が加わらない限り、ボタン型電池ＢＡが装着領域を越えてスライド方向ＳＬにスライドしてしまう事態も防止するストッパの機能を発揮できる。
このようなリフトアップ機能とストッパの機能を満たすため、突起部４２の高さＨは１〜２ｍｍ程度（即ち、使用されているボタン型電池ＢＡの厚さの１／３〜１／２程度）、幅Ｗ２は１〜２ｍｍ程度とされるのが好ましい。即ち、突起部４２の高さＨは、２ｍｍを超えるとボタン型電池ＢＡを位置決め用の凹部３９から外す時にリフトアップ機能の阻害となり、１ｍｍより小さいとボタン型電池ＢＡを装着するときに、スライド方向ＳＬのストッパとしての機能が低下する。
また、幅Ｗ２は、２ｍｍを超えるとボタン型電池ＢＡを位置決め用の凹部３９から外す時にリフトアップ機能の阻害となり、１ｍｍより小さいとボタン型電池ＢＡを装着するときに、スライド方向ＳＬのストッパとしての機能が低下する。
なお、本実施形態の突起部４２は、図５の二点鎖線で囲った図に示すように、位置決め用の凹部３９の円周に沿って、当該凹部３９の内周側面３９ａから連続して立ち上がるように形成されている。
【００３３】
この突起部４２は傾斜案内部４３と平坦な頂部４４を有している。
傾斜案内部４３は、装着したボタン型電池ＢＡ側（位置決め用の凹部３９側）に、ボタン型電池ＢＡから離れるに従って徐々に高さを増すようにされた傾斜面であり、具体的には、ボタン型電池ＢＡを取り外す際に突起部４２に向かうＳＬ方向に親指等でスライドさせた場合、蓋部材３０の縁部の壁部３４を乗り越えられる傾斜角度θとして、４０度〜５０度、好ましくは４５度とするのがよく、これにより、ボタン型電池ＢＡを突起部４２に向かうＳＬ方向に押すだけで、容易に取り外せる。この傾斜角度θは５０度を超えると、ボタン型電池ＢＡを位置決め用の凹部３９から外す時に、容易なリフトアップ機能の邪魔となり、４０度より小さいとボタン型電池ＢＡを装着するときに、スライド方向ＳＬのストッパとしての機能が低下する。
本実施形態の突起部４２は、ボタン型電池ＢＡを基準にしてスライド方向ＳＬの片側にのみ形成されているが、本発明はこの形態に限られるものではなく、スライド方向ＳＬのもう一方の片側Ｓ３にも突起部を設けてもよい。この際のＳ３側に設ける突起部は、突起部４２と同様に装着領域側に傾斜面を有するように略同じ形状とするのが好ましい。これにより、互いに対向する突起部同士でボタン型電池ＢＡを挟んで固定度合いを高められ、さらに傾斜面にガイドされながらボタン型電池ＢＡを容易に装着することもできる。
【００３４】
図７は図４に示す容器型の裏面部材２２の裏面部２３から蓋部材３０を取って、電池収容部１０１を露出させた平面図であり、図８はその電池収容部１０１の斜視図である。
図７と図８に示すように、電池収容部１０１は、上述したボタン型電池を着脱可能に収容して、ボタン型電池と電気的に接続するようになっている。この電池収容部１０１と、図５及び図６で説明したボタン型電池ＢＡを着脱可能に保持する蓋部材３０とで、電池の収納部１００（図４参照）が構成される。
【００３５】
図７と図８に示す電池収容部１０１は、電池収容空間部１０２と、マイナス接続端子部１１１と、プラス接続端子部１１２と、装着部７０を有している。
電池収容空間部１０２は、図６に示す蓋部材３０に取り付けられたボタン型電池ＢＡを収容するための凹状の空間である。この電池収容空間部１０２は、縁部分１２０，１２１，１２２，１２３と、底面部１２５により形成されている。縁部分１２０には、プラス接続端子部１１２が固定されている。底面部１２５には、マイナス接続端子部１１１が固定されている。
【００３６】
図７と図８に示すマイナス接続端子部１１１は、図６に示すボタン型電池ＢＡの主面に配置されたマイナス電極２９Ｂと接触する接続端子である。マイナス接続端子部１１１は、リング状部分１１１Ａと、接続端子部１１１Ｂと、導出部分１１１Ｃを有している。導出部分１１１Ｃは、図示しない電子回路に接続されている。
リング状部分１１１Ａは、導出部分１１１Ｃに連続しており、リング状部分１１１Ａの内側には、複数本の接続端子部１１１Ｂが半径方向に沿って設けられている。各接続端子部１１１Ｂの先端部側が、図７の図面上方向（Ｎ方向）に向けて立ち上げてある。これにより、電池収容空間部１０２内にボタン型電池ＢＡを収容すると、複数本の接続端子部１１１Ｂの先端部は、図６に示すボタン型電池ＢＡのマイナス電極２９Ｂにより押されて弾性変形することで、マイナス電極２９Ｂに対して確実に接触させることができる。
【００３７】
また、電池収容空間部１０２内にボタン型電池ＢＡを収容すると、プラス接続端子部１１２は、図６に示すボタン型電池ＢＡの外周側面２９Ｅに押し付けられて弾性変形することにより、電気的に接続される。プラス接続端子部１１２は、中央部分１１２Ａと、中央部分１１２Ａから左右に伸びた左右の接続端子部１１２Ｂ，１１２Ｂを有している。これにより、左右の接続端子部１１２Ｂの先端部は、図６に示すボタン型電池ＢＡのプラス電極２９Ａの外周側面２９Ｅにより押されて弾性変形することで、プラス電極２９Ａに対して確実に接触させることができる。
【００３８】
このような電池収容部１０１は、図６のボタン型電池ＢＡを保持した状態の蓋部材３０を図７及び図８のスライド方向ＲＲに滑らせて閉じることができ、電池収容部１０１を蓋部材３０で閉じると、蓋部材３０に保持されたボタン型電池ＢＡが各端子部１１１，１１２に接触すると共に、電池収容空間部１０２は封止される。
具体的には、図６に示す蓋部材３０の取付け部６０を、図８に示す装着部７０に挿入すると、これら取付け部６０と装着部７０とが嵌合される。
また、図６に示すように、蓋部材３０の互いに直交する方向に沿って配置された縁部の壁部３４及び壁部３５には、夫々、水平方向の内側に向かって突出した係合凸部７５を有している。この２つの係合凸部７５は、取付け部６０を図８の装着部７０に挿入すると、図８に示す電池収容部１０１の開口端面から水平方向の外側に向かって突出した２つの凸部７７の下側に形成された係合凹部７６に入り込んで、嵌合するようになっている。
このようにして、図６の蓋部材３０は、図８の電池収容空間部１０２を覆って閉じると共に、図４に示すように筐体２０に固定される。
なお、図５に示すように、蓋部材３０の２つの係合凸部７５，７５及び取付け部６０は、これらを結ぶ仮想線が略正三角形となるように配置されている。係合凸部７５の長さＬ１は、壁部３４，３５の長さＬ２の約１／３以上とするのが好ましく、これにより、図８の同様の長さを有する係合凹部７６との嵌合面積を高めている。これに対し、嵌合のし易さを考慮して、係合凸部７５の突出幅Ｗ１は１ｍｍ未満とあまり突出しないのが好ましい。
【００３９】
図９（Ａ）から図９（Ｃ）は、蓋部材３０の取付け部６０が、図８に示す装着部７０に挿入されて、蓋部材３０が固定される様子を示している。
図９（Ａ）に示すように、蓋部材３０の平板部分３７には、既にボタン型電池ＢＡが位置決めして固定されている。
図９（Ｂ）に示すように、装着部７０は、断面矩形状の凸部７１と断面矩形状の凹部７２を有している。図９（Ｂ）に示す蓋部材３０は、図９(Ａ)に示す状態から表裏面を逆にして、そして取付け部６０は、矢印Ｍで示すように、凸部７１側にスライドしてはめ込む。これにより、図９（Ｃ）に示すように、取付け部６０の爪６１は、凹部７２に嵌り込むので、蓋部材３０を装着部７０に対して固定することができる。この際、取付け部６０と突出部４０との間の部分３７ａは他の平板部分３７よりも薄く、取付け部６０が弾性変形しても突出部４０が極力変形しないようにし、これにより、ボタン型電池ＢＡの脱落を防止できる。なお、取付け部６０を装着部７０に挿入すると、図６の係合凸部７５が図８の凸部７７を乗り越えて、係合凹部７６と嵌合されるようになっている。
また、ボタン型電池ＢＡを交換する場合には、図９（Ｃ）に示すように蓋部材３０を矢印Ｐ方向に押しながら、開く方向Ｄに沿って指で押してスライドすることで、ボタン型電池ＢＡが保持された状態の蓋部材３０を取り外すことができる。
【００４０】
次に、主に図９と図１０を参照して、蓋部材３０にボタン型電池ＢＡを装着する操作と、ボタン型電池ＢＡを取り外す操作について説明する。
本実施形態において、ボタン型電池ＢＡを装着する方法は複数ある。図１０（Ａ）では、利用者（被検者）は、ボタン型電池ＢＡの円形状のプラス電極２９Ａ側を内面３８に向けて載せた状態で、指Ｆでボタン型電池ＢＡを押してＳＬ方向にスライドさせ、ボタン型電池ＢＡを突出部４０と突出部４１との間に載置している。この際、図１０（Ａ）に示すように、突起部４２が存在しない方（図５のＳ３の方）からボタン型電池ＢＡを挿入してもよいが、突起部４２が存在する方からボタン型電池ＢＡを挿入してもよい。突起部４２が存在しない方からボタン型電池ＢＡを挿入する場合、ボタン型電池ＢＡを力強く挿入してしまっても、ボタン型電池ＢＡの外周側面２９Ｅの一部分が突起部４２に突き当たり、ボタン型電池ＢＡを挿入し過ぎて、突出部４０と突出部４１との間にボタン型電池ＢＡを配置できないような事態を有効に防止できる。
また、突起部４２が存在する方からボタン型電池ＢＡを挿入する場合、５０〜１００ｇｆ程度の極めて小さい力で押してスライドさせ、突起部４２の傾斜面４３がガイドになって、突出部４０と突出部４１との間にボタン型電池ＢＡを容易に装着できる。
なお、本発明は、ボタン型電池ＢＡをＳＬ方向にスライドさせて、突出部４０と突出部４１との間に載置させる方法に限られるものではなく、相当の弾性変形が可能な突出部４０，４１の上からボタン型電池ＢＡを押し込むように装着してもよい。
【００４１】
そして、突出部４０と突出部４１との間にボタン型電池ＢＡを配置すれば、図１０（Ｂ）と図６に示すように、ボタン型電池ＢＡの円形状のプラス電極２９Ａと外周側面２９Ｅの一部を、蓋部材３０の極浅い位置決め用の凹部３９に嵌め込んで位置決めすることでき、この凹部３９でボタン型電池ＢＡの主面方向の動きを規制しつつ、爪部４０Ｂ，４１Ｂで凹部３９からボタン型電池ＢＡが出ないようにし、さらに、ガイド部４０Ａ，４１Ａでボタン型電池ＢＡの直径方向ＤＬの動きを規制することができる。
【００４２】
このようにしてボタン型電池ＢＡが内面３８側に固定された蓋部材３０は、図９（Ｂ）に示すように、図９（Ａ）に示す状態から表裏面を逆にする。そして取付け部６０は、矢印Ｍで示すように、凸部７１側にスライドする。これにより、図９（Ｃ）に示すように、取付け部６０の爪６１は、凹部７２に嵌り込むので、蓋部材３０は、装着部７０に対して固定することができる。
この状態では、図８に示す複数本の接続端子部１１１Ｂを、図６に示すボタン型電池ＢＡの主面に配置されたマイナス電極２９Ｂに対して接触させることができる。また、接続端子部１１２Ｂを、図６に示すボタン型電池ＢＡのプラス電極２９Ａの外周側面２９Ｅに対して接触させることができる。
【００４３】
ところで、利用者（被検者）が蓋部材３０に対して、ボタン型電池ＢＡを表裏逆向きに取り付けようとしている図１１に示すように、本実施形態では、ボタン型電池ＢＡの主面（マイナス電極２９Ｂ）を内面３８に向けた場合、ボタン型電池は爪部４０Ｂ，４１Ｂに当たって装着できないようになっている。
即ち、ボタン型電池ＢＡを保持するための爪部４０Ｂ，４１Ｂは、ボタン型電池ＢＡの段部２９Ｆと係止し、図１１に示すように、利用者（被検者）が、蓋部材３０に対して、当該段部２９Ｆを下向きにしてＨＲ方向に挿入しようとすると、ボタン型電池ＢＡの外周側面２９Ｅの特に角部分２０Ｇが、爪部４０Ｂ，４１Ｂに突き当たるようになっている。  このように、爪部４０Ｂ，４１Ｂは表裏逆のボタン型電池ＢＡが装着されて保持される
のを阻止する電池逆装着阻止部となっている。従って、利用者（被検者）が、蓋部材３０に、表裏逆向きになったボタン型電池ＢＡを誤って取り付けることを防止でき、ボタン型電池ＢＡのプラス極とマイナス極の逆接続を防止することができる。
【００４４】
次に、ボタン型電池ＢＡを交換する場合には、図９（Ｃ）に示すように、蓋部材３０を矢印Ｐ方向に押しながら、開く方向Ｄに沿って指Ｆで押してスライドすることで、取り外す。そして、図１０（Ｂ）から図１０（Ｃ）に示すように、利用者（被検者）は、ボタン型電池ＢＡを指Ｆで凹部（装着領域）３９に対してほぼ水平方向の一方向ＳＬに押す。これにより、ボタン型電池ＢＡの外周側面２９Ｅの角部分２０Ｇは、その円周方向反対側の角部分２０ＧＡを支点にして、突起部４２の傾斜面４３がガイドとなることで、傾斜面４３に沿って摺動しながら持ち上げられるので、壁部３４があったとしても、ボタン型電池ＢＡをＳＬ方向に沿って外す方向に押し出すことができる。これにより、ボタン型電池ＢＡは蓋部材３０から容易に取り外すことができる。
【００４５】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
例えば、図６では、ガイド部４０Ａ，４１Ａと爪部４０Ｂ，４１Ｂからなる突出部４０，４１は、ボタン型電池ＢＡの直径方向ＤＬの正反対の夫々の個所に一つずつ形成されているが、例えば、本実施形態の変形例に係る蓋部材の斜視図である図１２に示すように、ボタン型電池ＢＡの直径方向ＤＬの正反対の夫々の個所に複数の突出部４５，４６，４７，４８が形成されていてもよい。即ち、本発明にいう「２個所」とは、所要の大きさを有する２つの領域を意味するものであり、例えば図１２に示すように、ボタン型電池ＢＡの外側における直径方向ＤＬの一方の領域Ｓ１に複数の突出部４５，４６が、他方の領域Ｓ２に複数の突出部４７，４８が、夫々形成されてもよい。なお、図１２の突出部４５，４６，４７，４８の夫々は、上述した機能を有するガイド部４５Ａ，４６Ａ，４７Ａ，４８Ａと、爪部４５Ｂ，４６Ｂ，４７Ｂ，４８Ｂを有している。
【００４６】
また、本発明の上述した電池の着脱構造は、ボタン型電池を利用する機器であれば、図１のデータカード１０だけに適用されるものではなく、防水性をあまり必要とせず、特にＣＲ２０３２型のボタン型電池を使用する、その他の電子体温計（女性用体温計），歩数計（活動量計），耳式体温計，血糖計等の医療用電子機器にも適用され、さらに、医療用電子機器だけではなく、電子時計やその他の電子機器にも適用可能である。
また、同一の種類の複数の電池を同一平面に並べて収納できるような電池収納部としてもよい。
【符号の説明】
【００４７】
１０・・・データカード（医療用電子機器の一例）、２０・・・データカードの筐体、２１・・・筐体の表面部材、２２・・・筐体の裏面部材、３０・・・蓋部材、３８・・・内面、４０，４１・・・突出部、４０Ａ，４１Ａ・・・ガイド部、４０Ａ，４０Ｂ・・爪部、４２・・・突起部、４３・・・傾斜面、１０１・・電池収容部、１１１・・マイナス接続端子部、１１２・・プラス接続端子部、ＢＡ・・・ボタン型電池、Ｆ・・・・指
【図１】
0006483664.tif 000002
【図２】
0006483664.tif 000003
【図３】
0006483664.tif 000004
【図４】
0006483664.tif 000005
【図５】
0006483664.tif 000006
【図６】
0006483664.tif 000007
【図７】
0006483664.tif 000008
【図８】
0006483664.tif 000009
【図９】
0006483664.tif 000010
【図１０】
0006483664.tif 000011
【図１１】
0006483664.tif 000012
【図１２】
0006483664.tif 000013